(57)【特許請求の範囲】
【請求項１】
それぞれ異なるデータおよびアプリケーションプログラムを保持する手段、および実行したアプリケーションプログラムの処理結果をシンクライアント携帯端末へ転送する手段を有する複数のシンクライアントサーバと、前記複数のシンクライアントサーバの何れかと接続する手段、該接続されたシンクライアントサーバに対してデータ処理命令を送信する手段、および該接続されたシンクライアントサーバで実行された処理結果を受信して表示する手段を有する前記シンクライアント携帯端末とからなる画面転送型シンクライアントシステムであって、
前記シンクライアント携帯端末は、利用シーン毎に接続する前記シンクライアントサーバへの接続情報を予め登録して保持するシンクライアントサーバ登録手段と、前記利用シーンを検出する利用シーン検出手段と、該利用シーン検出手段で検出された利用シーンに基づいて前記登録されたシンクライアントサーバへの接続切り替え制御を行い、切り替え先のサーバとの接続が成功するまで、元のサーバとの接続は維持するサーバ切り替え制御手段を備えていることを特徴とする画面転送型シンクライアントシステム。
【請求項２】
前記シンクライアント携帯端末は、該携帯端末の位置を検出する位置検出手段を備えており、前記利用シーン検出手段は、前記位置検出手段により検出された該携帯端末の位置を前記利用シーンと対応させて検出する機能を有していることを特徴とする請求項１に記載の画面転送型シンクライアントシステム。
【請求項３】
前記シンクライアント携帯端末は、ＧＰＳ受信機を備えており、前記位置検出手段は、前記ＧＰＳ受信機により取得された位置情報から該携帯端末の位置を検出する機能を有していることを特徴とする請求項２に記載の画面転送型シンクライアントシステム。
【請求項４】
前記シンクライアント携帯端末は、非接触ＩＣカード機能を備えており、前記位置検出手段は、前記非接触ＩＣカード機能により取得された位置情報から該携帯端末の位置を検出する機能を有していることを特徴とする請求項２に記載の画面転送型シンクライアントシステム。
【請求項５】
前記シンクライアント携帯端末は、時計機能を備えており、前記利用シーン検出手段は、前記時計機能で計測された時刻情報を前記利用シーンと対応させて検出する機能を有していることを特徴とする請求項１に記載の画面転送型シンクライアントシステム。
【請求項６】
前記シンクライアント携帯端末は、管理サーバと通信する手段を備えており、前記利用シーン検出手段は、前記管理サーバから受信したサーバ切り替え情報を前記利用シーンと対応させて検出する機能を有していることを特徴とする請求項１に記載の画面転送型シンクライアントシステム。
【請求項７】
請求項１に記載の画面転送型シンクライアントシステムで用いられるシンクライアント携帯端末であって、
利用シーン毎に接続する前記シンクライアントサーバへの接続情報を予め登録して保持するシンクライアントサーバ登録手段と、前記利用シーンを検出する利用シーン検出手段と、該利用シーン検出手段で検出された利用シーンに基づいて前記登録されたシンクライアントサーバへの接続切り替え制御を行い、切り替え先のサーバとの接続が成功するまで、元のサーバとの接続は維持するサーバ切り替え制御手段を備えていることを特徴とするシンクライアント携帯端末。
【請求項８】
該シンクライアント携帯端末の位置を検出する位置検出手段を備えており、前記利用シーン検出手段は、前記位置検出手段により検出された該携帯端末の位置を前記利用シーンと対応させて検出する機能を有していることを特徴とする請求項７に記載のシンクライアント携帯端末。
【請求項９】
ＧＰＳ受信機を備えており、前記位置検出手段は、前記ＧＰＳ受信機により取得された位置情報から該携帯端末の位置を検出する機能を有していることを特徴とする請求項８に記載のシンクライアント携帯端末。
【請求項１０】
非接触ＩＣカード機能を備えており、前記位置検出手段は、前記非接触ＩＣカード機能により取得された位置情報から該携帯端末の位置を検出する機能を有していることを特徴とする請求項８に記載のシンクライアント携帯端末。
【請求項１１】
時計機能を備えており、前記利用シーン検出手段は、前記時計機能で計測された時刻情報を前記利用シーンと対応させて検出する機能を有していることを特徴とする請求項７に記載のシンクライアント携帯端末。
【請求項１２】
管理サーバと通信する手段を備えており、前記利用シーン検出手段は、前記管理サーバから受信したサーバ切り替え情報を前記利用シーンと対応させて検出する機能を有していることを特徴とする請求項７に記載のシンクライアント携帯端末。
【請求項１３】
請求項７に記載の画面転送型シンクライアントシステムで用いられるシンクライアント携帯端末が備えているコンピュータを、利用シーン毎に接続する前記シンクライアントサーバへの接続情報を予め登録して保持するシンクライアントサーバ登録手段と、前記利用シーンを検出する利用シーン検出手段と、該利用シーン検出手段で検出された利用シーンに基づいて前記登録されたシンクライアントサーバへの接続切り替え制御を行い、切り替え先のサーバとの接続が成功するまで、元のサーバとの接続は維持するサーバ切り替え制御手段として機能させるためのプログラム。
【発明の詳細な説明】
【技術分野】
【０００１】
本発明は、シンクライアントサーバとシンクライアント携帯端末によって構成される画面転送型シンクライアントシステムに関する。
【背景技術】
【０００２】
画面転送型シンクライアントシステムは、データおよびアプリケーションをサーバ側に集約し、画面表示機能および基本ソフトのみを搭載したシンクライアント携帯端末側からサーバに対してデータ処理命令を与え、サーバ側で実行された処理結果をシンクライアント携帯端末が受け取って端末表示部に表示するシステムであり、クライアント携帯端末にはデータやアプリケーションプログラムが保持されず、情報漏えいの防止、クライアント携帯端末の処理負担軽減等の利点が得られるため、特にモバイル環境等におけるデータ処理への利用が期待されている（特許文献１〜３等参照）。
【０００３】
【特許文献１】特開２００４−３４８３８０号公報
【特許文献２】特開２００７−０５３６２６号公報
【特許文献３】特開２００７−３３４６８６号公報
【発明の開示】
【発明が解決しようとする課題】
【０００４】
本発明に関連する画面転送型シンクライアントシステムにおいて、ユーザーが持つシンクライアント携帯端末を現在接続中のサーバとは異なるシンクライアントサーバに接続しようと考えた際、利用シーンに応じた接続可能サーバをユーザーが自身の知識や経験によって見つけ出し、接続する必要がある。しかし、多くのユーザーにとってそれは簡単な操作とは言えず、同じ携帯端末を複数の利用シーンで利用しにくいという問題がある。
【０００５】
また、企業などにおけるシンクライアントシステムの管理者から見て、社員であるユーザーに複数の利用シーン（例えば会社内と自宅）で同じシンクライアント携帯端末を使わせることについて、不適切な利用シーンで不適切なデータや機能を扱う可能性があるため、情報セキュリティのリスクから、そのように利用シーンを跨いでの同一端末の使用はさせたくない場合がある。
【０００６】
本発明の目的は、上述した課題を解決することが可能な画面転送型シンクライアントシステムおよびシンクライアント携帯端末を提供することにある。
【課題を解決するための手段】
【０００７】
本発明の画面転送型シンクライアントシステムは、それぞれ異なるデータおよびアプリケーションプログラムを保持する手段、および実行したアプリケーションプログラムの処理結果をシンクライアント携帯端末へ転送する手段を有する複数のシンクライアントサーバと、前記複数のシンクライアントサーバの何れかと接続する手段、該接続されたシンクライアントサーバに対してデータ処理命令を送信する手段、および該接続されたシンクライアントサーバで実行された処理結果を受信して表示する手段を有する前記シンクライアント携帯端末とからなる画面転送型シンクライアントシステムであって、前記シンクライアント携帯端末が、利用シーン毎に接続する前記シンクライアントサーバへの接続情報を予め登録して保持するシンクライアントサーバ登録手段と、前記利用シーンを検出する利用シーン検出手段と、該利用シーン検出手段で検出された利用シーンに基づいて前記登録されたシンクライアントサーバへの接続切り替え制御を行うサーバ切り替え制御手段を備えていることを特徴とする。
【０００８】
また本発明の前記画面転送型シンクライアントシステムに用いられるシンクライアント携帯端末は、利用シーン毎に接続する前記シンクライアントサーバへの接続情報を予め登録して保持するシンクライアントサーバ登録手段と、前記利用シーンを検出する利用シーン検出手段と、該利用シーン検出手段で検出された利用シーンに基づいて前記登録されたシンクライアントサーバへの接続切り替え制御を行うサーバ切り替え制御手段を備えていることを特徴とする。
【０００９】
また本発明のプログラムは、前記シンクライアント携帯端末が備えているコンピュータを、利用シーン毎に接続する前記シンクライアントサーバへの接続情報を予め登録して保持するシンクライアントサーバ登録手段と、前記利用シーンを検出する利用シーン検出手段と、該利用シーン検出手段で検出された利用シーンに基づいて前記登録されたシンクライアントサーバへの接続切り替え制御を行うサーバ切り替え制御手段として機能させることを特徴とする。
【発明の効果】
【００１０】
本発明の画面転送型シンクライアントシステムによれば、利用シーンに応じて接続先シンクライアントサーバを切り替えることができるので、ユーザーは複数の利用シーンにおいて同じ携帯端末を用いて複数のシンクライアントサーバを利用することが可能となる。
【００１１】
また、本発明の画面転送型シンクライアントシステムによれば、端末が現在の利用シーンを判断し、接続先シンクライアントサーバを自動で切り替えるので、ユーザーは複雑な操作をせずとも接続先シンクライアントサーバを切り替えることができ、また管理者側も不適切な利用シーンで不適切なデータや機能が使われないようにすることが可能となるので情報セキュリティの面でも安心して使用できる。
【００１２】
さらに、携帯端末が利用できるデータや機能を、接続先シンクライアントサーバを切り替えることで実現しているので、ユーザーは携帯端末内の保存容量の限界に制限されずに、実質無限の利用シーンに応じた携帯端末を利用可能となる。
【発明を実施するための最良の形態】
【００１３】
図１は、本発明の実施形態を示す画面転送型シンクライアントシステム構成のイメージを示すブロック図であり、図２は、本実施形態で用いられるシンクライアント携帯端末の概略を示すブロック図である。
【００１４】
図１において、シンクライアント携帯端末１は当初シンクライアントサーバＡと接続されているが、その後、センサ機能を用いて場所の移動や時間変化等の状況変化による利用シーンの変化を監視し、利用シーンが変化したと判断したとき、変化後の利用シーンにおける接続先シンクライアントサーバとしてシンクライアント携帯端末１内に予め設定登録されているシンクライアントサーバＢに接続先が切り替えられる。
【００１５】
なおここで言う「センサ機能」とは、シンクライアント携帯端末内に内蔵されたデバイスによるＦｅｌｉｃａ（登録商標）、ＧＰＳなど現在の端末の位置情報を把握できる機能や、時計など現在の時間帯等の時刻情報を把握できる機能のことを指す。また「利用シーン」とは、異なる業務内容に留まらず、ビジネスシーンとプライベートシーンの双方を幅広く含むことができ、プライベートシーンについても自宅内、電車内、劇場やテーマパーク内、朝方、夜など多種多様なシーンを含むことができる。
【００１６】
このように本実施形態の画面転送型シンクライアントシステムにおいては、シンクライアント携帯端末が利用シーンの変化を判断し、それに応じてシンクライアント携帯端末の接続先シンクライアントサーバを自動的に切り替えるようにしているので、その時々の利用シーンに応じた適切なデータや適切な機能を持つシンクライアントサーバへの接続が容易となり、ユーザーの利便性およびセキュリティを向上させることが可能である。
【００１７】
本実施形態のシンクライアント携帯端末１は、図２に示すように、無線通信部１１、センサ１２、制御部１３、入力部１４、および表示部１５を備えている。無線通信部１１は、通信網を介してシンクライアントサーバから転送されるシンクライアントサーバの画面を受信し、また、シンクライアントサーバに対する入力データの送信を行う機能を有している。
【００１８】
また実施例によっては、無線通信部１１が図示していない管理者（管理サーバ）から送信された、利用するシンクライアントサーバが変化したこと（利用シーンが変化したこと）を伝える情報を受信し、この受信情報に基づいて制御部１３が、利用するシンクライアントサーバの切り替えを実行するように構成することもできる。
【００１９】
センサ１２は、シンクライアント携帯端末１内に内蔵されたデバイスとしてのＦｅｌｉｃａ（登録商標）等の非接触ＩＣ機能、ＧＰＳ受信機能等によるシンクライアント携帯端末１の現在の位置情報を把握できる機能、あるいは時計等による現在の時間帯を把握できる機能として実現され、シンクライアント携帯端末１の現在の状況（利用シーン）を認知するための手段として用いられる。
【００２０】
制御部１３は、本実施形態のシンクライアント携帯端末１全体の制御を行う制御手段であり、制御部１３で実行される各種制御プログラムを格納するＲＯＭと、制御プログラムに基づいて各種演算処理を実行するＣＰＵ（中央演算処理装置）と、ＣＰＵが各種演算処理を実行する際のワークエリアとしての使用や一時的なユーザー設定情報を格納することができるＲＡＭ等によって構成され、上記制御プログラムを実行するコンピュータとしての機能を有している。
【００２１】
制御部１３では、シンクライアントサーバ利用に先立って、利用シーン毎に接続されるシンクライアントサーバへアクセスする接続情報を予め登録するための制御を行い、該当クライアントサーバと接続可能にするための認証を含むシンクライアントサーバ登録処理を実行する。得られた各シンクライアントサーバへ接続するための認証を含む登録データは、制御部１３内の書き換え可能なＲＯＭ等に格納しておく。
【００２２】
その後、このシンクライアント携帯端末１を利用する際には、センサ１２により認知された情報、あるいは無線通信部１１が受信したシンクライアントシステム管理者（管理サーバ）からの情報を元に、現在ユーザーがどの利用シーンに居るかを判断し、該当するシンクライアントサーバとの間で接続のための処理を実行する。
【００２３】
そして、該当するシンクライアントサーバとの間の接続処理が完了した後、無線通信部１１がシンクライアントサーバから受信したシンクライアントサーバの画面データを表示部１５に出力して表示させる機能と、入力部１４からユーザーが入力した操作データを、無線通信部１１を介してシンクライアントサーバに送る機能を実行する。
【００２４】
入力部１４は、携帯端末に備えられたキー入力ボタン等からなり、ユーザーの操作を操作データに変換して制御部１３へ出力する。表示部１５は、携帯端末に備えられた液晶表示画面（ＬＣＤ）等からなり、制御部１３から受け取った画面データを画面に表示する。
【００２５】
図３は、本実施形態の動作例を示すフローチャートである。なお図３では、シンクライアント携帯端末１には、利用シーン毎に接続されるシンクライアントサーバの情報が既に登録されており、現在、シンクライアント携帯端末１がシンクライアントサーバＡに接続している状態を開始状態としている。以下、図１〜図３を参照して本実施形態の動作について説明する。
【００２６】
開始状態直後では、シンクライアントサーバＡからシンクライアント携帯端末１に画面が転送されている（Ｓ１）。その状態において、シンクライアント携帯端末１が何かしらの切り替えトリガー（センサ情報によって利用シーンの変化を判断する、管理者からの切り替え命令、時間経過等）を読み取ると（Ｓ２）、シンクライアント携帯端末１は自動でシンクライアントサーバＢとの接続を試みる（Ｓ３）。
【００２７】
シンクライアントサーバＢとの接続が成功した場合、シンクライアント携帯端末１をシンクライアントサーバＡから切断して画面転送を停止し（Ｓ４）、シンクライアントサーバＢからの画面転送を開始する（Ｓ５）。なお、本実施例の場合は、シンクライアント携帯端末１がシンクライアントサーバＢとの接続に失敗した場合には、シンクライアントサーバＡからの画面転送を引き続き受けるように制御される。
【００２８】
本実施形態では、シンクライアント携帯端末が備えているセンサ機能または管理サーバと通信する機能により取得した情報を元に現在のシンクライアント携帯端末の利用シーンを判断し、それに応じて接続先シンクライアントサーバを自動的に切り替えることを可能としているので、ユーザーは複雑な操作をせずとも接続先シンクライアントサーバを切り替えることができる。
【００２９】
図４は、本実施形態の他の動作例を示すフローチャートである。図４に示す動作例においては、シンクライアント携帯端末１とシンクライアントサーバＢとの接続が失敗した場合、情報セキュリティを重視する観点から図３の動作例とは別の動作を行うようにしている。
【００３０】
開始状態直後では、シンクライアントサーバＡからシンクライアント携帯端末１に画面が転送されている（Ｓ１１）。その状態において、シンクライアント携帯端末１が何かしらの切り替えトリガー（センサ情報によって利用シーンの変化を判断する、管理者からの切り替え命令、時間経過等）を読み取ると（Ｓ１２）、シンクライアント携帯端末１は自動でシンクライアントサーバＢとの接続を試みる（Ｓ１３）。
【００３１】
シンクライアントサーバＢとの接続が成功した場合、シンクライアント携帯端末１をシンクライアントサーバＡから切断して画面転送を停止し（Ｓ１４）、シンクライアントサーバＢからの画面転送を開始する（Ｓ１５）。Ｓ１３で端末１がシンクライアントサーバＢとの接続が失敗した場合には、シンクライアント携帯端末１をシンクライアントサーバＡからも切断し、画面転送を停止する（Ｓ１６）。
【００３２】
この動作例では、不適切な利用シーンで不適切なデータや機能が使われないようにすることが可能となり、例えば、ユーザーが会社内において、会社内のシンクライアントサーバＡと接続されている状態で、ユーザーが会社のゲートから社外に出て、利用シーンが会社からプライベートに切り替わった場合に、会社内のシンクライアントサーバＡとの接続を自動的に切断する手段としてニーズが高いと考えられる。
【図面の簡単な説明】
【００３３】
【図１】本発明の実施形態を示す画面転送型シンクライアントシステム構成のイメージを示すブロック図である。
【図２】本実施形態で用いられるシンクライアント携帯端末の概略を示すブロック図である。
【図３】本実施形態の動作例を示すフローチャートである。
【図４】本実施形態の他の動作例を示すフローチャートである。
【符号の説明】
【００３４】
１  シンクライアント携帯端末
１１  無線通信部
１２  センサ
１３  制御部
１４  入力部
１５  表示部
Ａ、Ｂ  シンクライアントサーバ
【図１】
0005266849.tif 000002
【図２】
0005266849.tif 000003
【図３】
0005266849.tif 000004
【図４】
0005266849.tif 000005